(57)【要約】  表示パネルは、基板と、複数の画素ユニットと、第１カラーフィルムと、感光層と、を備える。各画素ユニットにおける画素サブユニットのそれぞれは、発光部を含む。感光層は、第１カラーフィルムと基板との間に挟持されるとともに、表示面に対向している被写体から光学信号を検出するように配置されており、該感光層は、基板への正投影が第１カラーフィルムの基板への正投影に実質的に覆われる一方、各画素サブユニットの発光部の基板への正投影と重なっていないようにそれぞれが配置される複数の感光部を含む。レンズ層は、感光層の上方にあるとともに、基板への正投影が各感光部の基板への正投影を実質的に覆っている。
2020516006.tif 000002
【特許請求の範囲】
【請求項１】
表示面に画像を表示できるとともに、該表示面に対向している被写体を撮影できる表示パネルであって、
基板と、
前記基板の上方にあって、それぞれが少なくとも１つの画素サブユニットを含む複数の画素ユニットと、
前記基板の上方にある第１カラーフィルムと、
前記第１カラーフィルムと前記基板との間に挟持されるとともに、前記被写体から光学信号を検出し、それに基づいて前記表示パネルによる前記被写体への撮影が可能になるように配置される感光層と、を備え、
前記複数の画素ユニットの各々における前記少なくとも１つの画素サブユニットは、それぞれが発光部を含み、
前記感光層は、前記基板への正投影が前記第１カラーフィルムの前記基板への正投影と実質的に重なっている一方、前記少なくとも１つの画素サブユニットの各々の、発光部の前記基板への正投影と重なっていないようにそれぞれが配置される複数の感光部を含む、表示パネル。
【請求項２】
前記感光層の上方にあって、前記感光層への前記光学信号の有効フォーカスが可能になるように配置されるレンズ層をさらに備え、
前記レンズ層は、前記基板への正投影が前記複数の感光部のそれぞれの前記基板への正投影を実質的に覆っているように配置される、請求項１に記載の表示パネル。
【請求項３】
前記レンズ層はさらに、前記基板への正投影が前記少なくとも１つの画素サブユニットの各々の、発光部の前記基板への正投影と重なっているように配置される、請求項２に記載の表示パネル。
【請求項４】
前記レンズ層は、複数の突出を含み、
前記複数の突出の各々の、前記基板に対向する面は、凸形状または柱形状の少なくとも１つである、請求項２または３に記載の表示パネル。
【請求項５】
前記レンズ層は、樹脂またはガラスを含む、請求項２〜４のいずれか一項に記載の表示パネル。
【請求項６】
前記複数の画素ユニットの各々における前記少なくとも１つの画素サブユニットの各々の発光部は、
前記基板の上方にある第１電極層と、
前記第１電極層の上方にある第２電極層と、
前記第１電極層と前記第２電極層との間にある有機発光層と、含む、請求項１に記載の表示パネル。
【請求項７】
前記感光層の上方にあって、前記感光層への前記光学信号の有効フォーカスが可能になるように配置されるレンズ層をさらに備え、
前記レンズ層は、前記第１電極層の前記基板から遠い面に配置される、請求項６に記載の表示パネル。
【請求項８】
前記少なくとも１つの画素サブユニットのそれぞれは、前記発光部を発光駆動するように配置される薄膜トランジスタを含み、
前記薄膜トランジスタは、前記第１電極層に電気的に結合された電極を含む、請求項６に記載の表示パネル。
【請求項９】
前記少なくとも１つの画素サブユニットのそれぞれは、前記発光部と前記薄膜トランジスタとの間にある絶縁層をさらに含み、
前記第１電極層は、前記絶縁層を介して前記薄膜トランジスタの前記電極に電気的に結合されている、請求項８に記載の表示パネル。
【請求項１０】
前記第１カラーフィルムは、複数の第１カラーフィルタ部を含み、
前記複数の第１カラーフィルタ部は、それぞれの前記基板への正投影が前記複数の感光部のうち１つの前記基板への正投影を実質的に覆っているように配置される、請求項１に記載の表示パネル。
【請求項１１】
前記複数の第１カラーフィルタ部は、赤色の第１カラーフィルタ部と、緑色の第１カラーフィルタ部と、青色の第１カラーフィルタ部とを含む、請求項１０に記載の表示パネル。
【請求項１２】
前記基板の上方にあって、前記複数の画素ユニットの各々における前記少なくとも１つの画素サブユニットのそれぞれを定義するように配置される画素定義層をさらに備え、
前記画素定義層は、複数の画素定義部を含み、
前記複数の画素定義部のそれぞれは、前記基板への正投影が前記複数の感光部のそれぞれの前記基板への正投影を覆っているように配置される、請求項１に記載の表示パネル。
【請求項１３】
前記複数の画素ユニットの各々における前記少なくとも１つの画素サブユニットは、
赤色光を放射するように配置される赤色発光部を含む赤色の画素サブユニットと、
緑色光を放射するように配置される緑色発光部を含む緑色の画素サブユニットと、
青色光を放射するように配置される青色発光部を含む青色の画素サブユニットと、を含む、請求項１に記載の表示パネル。
【請求項１４】
前記複数の画素ユニットの各々における前記少なくとも１つの画素サブユニットのそれぞれは、白色光を放射するように配置される白色発光部を含み、
前記表示パネルは、前記複数の画素ユニットの各々における前記少なくとも１つの画素サブユニットのそれぞれにある前記白色発光部の上方に位置する第２カラーフィルムをさらに備え、
前記第２カラーフィルムは、複数の第２カラーフィルタ部を含み、
前記複数の第２カラーフィルタ部は、それぞれの前記基板への正投影が前記複数の画素ユニットの各々における前記少なくとも１つの画素サブユニットのそれぞれにある白色発光部の正投影を実質的に覆っているように配置される、請求項１に記載の表示パネル。
【請求項１５】
前記複数の第２カラーフィルタ部はさらに、それぞれの前記基板への正投影が前記感光層の前記複数の感光部のうち１つの前記基板への正投影を実質的に覆っている、請求項１４に記載の表示パネル。
【請求項１６】
前記複数の第２カラーフィルタ部は、赤色の第２カラーフィルタ部と、緑色の第２カラーフィルタ部と、青色の第２カラーフィルタ部とを含む、請求項１４または１５に記載の表示パネル。
【請求項１７】
前記複数の感光部のそれぞれは、少なくとも１つの前記光学信号を電気信号に変換するように配置されるフォトダイオードを含む、請求項１に記載の表示パネル。
【請求項１８】
前記複数の感光部の各々と、前記画素サブユニットの各々とは、互いに一対一に対応し、
前記複数の感光部の各々の前記基板への正投影は、対応する画素サブユニットの前記基板への正投影に隣接している、請求項１に記載の表示パネル。
【請求項１９】
前記複数の画素ユニットは、行と列を有するマトリクスに配置されており、各行にある画素ユニットのそれぞれは、少なくとも３つの画素サブユニットを含み、
前記少なくとも３つの画素サブユニットは、それぞれ違う原色を供給するとともに全体で白色光を供給するように配置され、
前記少なくとも３つの画素サブユニットの各々の対応する感光部は、異なる原色の光の検出によって光混合を可能とすることで、前記少なくとも３つの画素サブユニットに対応する感光部により白色光を形成するように配置される、請求項１８に記載の表示パネル。
【請求項２０】
前記複数の感光部は、前記画素サブユニットの全てではなくその一部のみに対応し、
前記複数の感光部のそれぞれの前記基板への正投影は、対応する画素サブユニットの前記基板への正投影に隣接している、請求項１に記載の表示パネル。
【請求項２１】
前記複数の画素ユニットは、行と列を有するマトリクスに配置されており、各行にある画素ユニットのそれぞれは、少なくとも３つの画素サブユニットを含み、
前記少なくとも３つの画素サブユニットは、それぞれ違う原色を供給するとともに全体で白色光を供給するように配置され、
列方向に沿うｎ個の隣接する画素ユニット毎は、ｎ個の隣接する画素ユニット毎のそれぞれにおける少なくとも３つの画素サブユニットのうちの１つだけには対応する感光部が設けられているように配置されており、当該感光部は、異なる原色の光の検出によって光混合を可能とすることで、前記ｎ個の隣接する画素ユニット毎に対応する感光部により白色光を形成するように配置される、請求項２０に記載の表示パネル。
【請求項２２】
請求項１〜２１のいずれか一項に記載の表示パネルを備える表示装置。
【発明の詳細な説明】
【技術分野】
【０００１】
（関連出願の相互参照）
本出願は、２０１７年３月３１日に出願された中国特許出願２０１７１０２０８６３０．１号の優先権を主張するものであり、この先の出願の開示全体をここに参照のために取り込む。
【０００２】
本発明は、表示技術の分野に関し、特に、表示パネルおよびその製造方法、並びに表示装置に関する。
【背景技術】
【０００３】
電子分野における技術が急速に発展するにつれて、スマートフォン、タブレット、ラップトップなどの表示パネルを備えたモバイル機器は、ますます普及している。お客様により高い可搬性、使い易い使いやすさまたは美観が要求されるため、今、これらの移動式表示装置を軽量型または薄型にする傾向がある。
【発明の概要】
【発明が解決しようとする課題】
【０００４】
本発明の一態様は、表示面に画像を表示できるとともに、該表示面に対向している被写体を撮影できる表示パネルを提供する。
【課題を解決するための手段】
【０００５】
前記表示パネルは、基板と、複数の画素ユニットと、第１カラーフィルムと、感光層と、を備える。前記複数の画素ユニットは、前記基板の上方にあって、それぞれが少なくとも１つの画素サブユニットを含む。前記第１カラーフィルムは、前記基板の上方にある。前記感光層は、前記第１カラーフィルムと前記基板との間に挟持されるとともに、前記被写体から光学信号を検出し、それに基づいて前記表示パネルによる前記被写体への撮影が可能になるように配置される。
【０００６】
前記複数の画素ユニットの各々における前記少なくとも１つの画素サブユニットは、それぞれが発光部を含む。前記感光層は、前記基板への正投影が前記第１カラーフィルムの前記基板への正投影と実質的に重なっている一方、前記少なくとも１つの画素サブユニットの各々の、発光部の前記基板への正投影と重なっていないようにそれぞれが配置される複数の感光部を含む。
【０００７】
いくつかの実施形態によれば、前記表示パネルは、前記感光層の上方にあって、前記感光層への前記光学信号の有効フォーカスが可能になるように配置されるレンズ層をさらに備える。前記レンズ層は、前記基板への正投影が前記複数の感光部のそれぞれの前記基板への正投影を実質的に覆っているように配置される。
【０００８】
前記表示パネルに関するいくつかの実施形態では、前記レンズ層はさらに、前記基板への正投影が前記少なくとも１つの画素サブユニットの各々の、発光部の前記基板への正投影と重なっているように配置される。
【０００９】
ここで、前記レンズ層は、複数の突出を含んでおり、前記複数の突出の各々の、前記基板に対向する面は、凸形状または柱形状の少なくとも１つである。前記レンズ層は、樹脂またはガラスを含む。
【００１０】
前記表示パネルでは、前記複数の画素ユニットの各々における前記少なくとも１つの画素サブユニットの各々の発光部は、前記基板の上方にある第１電極層と、前記第１電極層の上方にある第２電極層と、前記第１電極層と前記第２電極層との間にある有機発光層と、含む。
【００１１】
感光層の上方にレンズ層を含む表示パネルに関するいくつかの実施形態では、前記レンズ層は、前記第１電極層の前記基板から遠い面に配置される。
【００１２】
本明細書に開示される表示パネルでは、前記少なくとも１つの画素サブユニットのそれぞれは、前記発光部を発光駆動するように配置される薄膜トランジスタを含んでおり、前記薄膜トランジスタは、前記第１電極層に電気的に結合された電極を含む。
【００１３】
さらに、前記少なくとも１つの画素サブユニットのそれぞれは、前記発光部と前記薄膜トランジスタとの間にある絶縁層をさらに含んでおり、前記第１電極層は、前記絶縁層を介して前記薄膜トランジスタの前記電極に電気的に結合されている。
【００１４】
本明細書に開示される表示パネルでは、前記第１カラーフィルムは、複数の第１カラーフィルタ部を含んでおり、前記複数の第１カラーフィルタ部は、それぞれの前記基板への正投影が前記複数の感光部のうち１つの前記基板への正投影を実質的に覆っているように配置される。
【００１５】
いくつかの実施形態によれば、上記複数の第１カラーフィルタ部は、赤色の第１カラーフィルタ部と、緑色の第１カラーフィルタ部と、青色の第１カラーフィルタ部とを含む。
【００１６】
本明細書に開示される表示パネルは、前記基板の上方にあって、前記複数の画素ユニットの各々における前記少なくとも１つの画素サブユニットのそれぞれを定義するように配置される画素定義層をさらに備える。前記画素定義層は、複数の画素定義部を含み、前記複数の画素定義部のそれぞれは、前記基板への正投影が前記複数の感光部のそれぞれの前記基板への正投影を覆っているように配置される。
【００１７】
前記表示パネルに関するいくつかの実施形態によれば、前記複数の画素ユニットの各々における前記少なくとも１つの画素サブユニットは、赤色の画素サブユニットと、緑色の画素サブユニットと、青色の画素サブユニットと、を含む。各画素ユニットにおいて、前記赤色の画素サブユニットは、赤色光を放射するように配置されており、前記緑色の画素サブユニットは、緑色光を放射するように配置されており、前記青色の画素サブユニットは、青色光を放射するように配置される。
【００１８】
前記表示パネルに関するいくつかの他の実施形態によれば、前記複数の画素ユニットの各々における前記少なくとも１つの画素サブユニットのそれぞれは、白色光を放射するように配置される白色発光部を含む。前記表示パネルは、前記複数の画素ユニットの各々における前記少なくとも１つの画素サブユニットのそれぞれにある前記白色発光部の上方に位置する第２カラーフィルムをさらに備える。前記第２カラーフィルムは、複数の第２カラーフィルタ部を含み、前記複数の第２カラーフィルタ部は、それぞれの前記基板への正投影が前記複数の画素ユニットの各々における前記少なくとも１つの画素サブユニットのそれぞれにある白色発光部の正投影を実質的に覆っているように配置される。
【００１９】
ここで、いくつかの実施形態では、前記複数の第２カラーフィルタ部はさらに、それぞれの前記基板への正投影が前記感光層の前記複数の感光部のうち１つの前記基板への正投影を実質的に覆っているように配置される。
【００２０】
ここで、前記複数の第２カラーフィルタ部は、赤色の第２カラーフィルタ部と、緑色の第２カラーフィルタ部と、青色の第２カラーフィルタ部とを含む。
【００２１】
前記表示パネルの実施形態のいずれかにおいて、前記複数の感光部のそれぞれは、少なくとも１つの前記光学信号を電気信号に変換するように配置されるフォトダイオードを含む。
【００２２】
本明細書に開示される表示パネルのいくつかの実施形態によれば、前記複数の感光部の各々と、前記画素サブユニットの各々とは、互いに一対一に対応する。前記複数の感光部の各々の前記基板への正投影は、対応する画素サブユニットの前記基板への正投影に隣接している。
【００２３】
ここで、前記複数の画素ユニットは、行と列を有するマトリクスに配置されており、各行にある画素ユニットのそれぞれは、少なくとも３つの画素サブユニットを含む。前記少なくとも３つの画素サブユニットは、それぞれ違う原色を供給するとともに全体で白色光を供給するように配置される。前記少なくとも３つの画素サブユニットの各々の対応する感光部は、異なる原色の光の検出によって光混合を可能とすることで、前記少なくとも３つの画素サブユニットに対応する感光部により白色光を形成するように配置される。
【００２４】
前記表示パネルのいくつかの他の実施形態によれば、前記複数の感光部は、前記画素サブユニットの全てではなくその一部のみに対応する。前記複数の感光部のそれぞれの前記基板への正投影は、対応する画素サブユニットの前記基板への正投影に隣接している。
【００２５】
ここで、前記複数の画素ユニットは、行と列を有するマトリクスに配置されており、各行にある画素ユニットのそれぞれは、少なくとも３つの画素サブユニットを含む。前記少なくとも３つの画素サブユニットは、それぞれ違う原色を供給するとともに全体で白色光を供給するように配置される。列方向に沿うｎ個の隣接する画素ユニット毎は、ｎ個の隣接する画素ユニット毎のそれぞれにおける少なくとも３つの画素サブユニットのうちの１つだけには対応する感光部が設けられているように配置されており、当該感光部は、異なる原色の光の検出によって光混合を可能とすることで、前記ｎ個の隣接する画素ユニット毎に対応する感光部により白色光を形成するように配置される。ここで、ｎは、３以上の整数である。
【００２６】
本発明に係る別の態様は、表示装置を提供する。該表示装置は、上記いずれかの実施形態に係る表示パネルを備える。
【図面の簡単な説明】
【００２７】
以下、本明細書に開示されるいくつかの実施形態をより明確に説明するために、図面について簡単に説明する。以下の説明における図面は、いくつかの実施形態の単なる例示である。当業者であれば、これらの図面に基づいて他の実施形態の他の図面を明らかにすることができる。
【００２８】
【図１】図１は、本発明の第１実施形態による表示パネルの模示図である。
【図２】図２は、本発明の第２実施形態による表示パネルの模示図である。
【図３】図３は、本発明の第３実施形態による表示パネルの模示図である。
【図４】図４は、本発明の第４実施形態による表示パネルの模示図である。
【図５】図５は、本発明の第５実施形態による表示パネルの模示図である。
【図６】図６は、本発明の第６実施形態による表示パネルの模示図である。
【図７】図７は、本発明の第１実施形態による表示パネルにおける撮影画素ユニットの分布を示す。
【図８】図８は、本発明の第２実施形態による表示パネルにおける撮影画素ユニットの分布を示す。
【図９】図９は、本発明の第１実施形態による表示パネルを製造する方法のフローチャートである。
【図１０】図１０は、本発明の第２実施形態による表示パネルを製造する方法のフローチャートである。
【図１１】図１１は、本発明の第３実施形態による表示パネルを製造する方法のフローチャートである。
【図１２】図１２は、本発明の第４実施形態による表示パネルを製造する方法のフローチャートである。
【発明を実施するための形態】
【００２９】
現在、携帯電話、タブレット、ラップトップコンピュータなどの多くの移動式表示装置は、前向きカメラを備える。前向きカメラは、典型的には、感光ユニットと、感光ユニットを駆動するための駆動回路とを含む。感光ユニットは、通常、レンズおよびフォトダイオードを含む。
【００３０】
従来の技術では、携帯型表示装置において、前向きカメラに向け、撮影（言い換えれば、画像取り込み）をより効果的に機能させるように、前向きカメラは、一般に、移動式表示装置に効果的に感光するため、十分な面積が要求される（言い換えれば、レンズおよびフォトダイオードは、移動式表示装置において前向きカメラに十分な面積を有することが要求される）。
【００３１】
そのため、当分野の従来技術に係る前向きカメラは、通常、移動式表示装置において独立した要素として機能し、移動式表示装置内ではある程度の面積とスペースを必要とするため、移動式表示装置全体の薄さを実質的に制限する。したがって、上述のような現在の移動式表示装置は、軽量化または薄型化という傾向に合わず、市場におけるお客様のニーズを満たすことができない。
【００３２】
本発明は、表示パネルおよびその製造方法、並びに当該表示パネルを備えた表示装置を提供する。本明細書に開示される表示パネルは、制限された輝度および薄さのような、前向きカメラを有する従来の移動式表示装置に関連する問題を解決するように、カメラ機能を備えた画素サブユニットを備える。
【００３３】
以下、図面に示されている本発明の様々な実施形態を参照しながら本発明を詳細に説明する。記載された実施形態は１種の回路だけであり、本発明の全ての実施形態ではないことは明らかであろう。本開示の記載された実施形態に基づいて、当業者は、本発明の保護範囲における他の実施形態を得ることができる。
【００３４】
本発明の一態様は、表示面に画像を表示できるとともに、該表示面に対向している被写体を撮影できる表示パネルを提供する。前記表示パネルは、基板と、複数の画素ユニットと、第１カラーフィルムと、感光層と、を備える。前記複数の画素ユニットは、前記基板の上方にあって、それぞれが少なくとも１つの画素サブユニットを含む。前記第１カラーフィルムは、前記基板の上方にある。前記感光層は、前記第１カラーフィルムと前記基板との間に挟持されるとともに、前記被写体から光学信号を検出し、それに基づいて前記表示パネルによる前記被写体への撮影が可能になるように配置される。
【００３５】
前記複数の画素ユニットの各々における前記少なくとも１つの画素サブユニットは、それぞれが発光部を含む。前記感光層は、前記基板への正投影が前記第１カラーフィルムの前記基板への正投影と実質的に重なっている一方、前記少なくとも１つの画素サブユニットの各々の、発光部の前記基板への正投影と重なっていないようにそれぞれが配置される複数の感光部を含む。
【００３６】
いくつかの実施形態によれば、前記表示パネルは、前記感光層の上方にあって、前記感光層への前記光学信号の有効フォーカスが可能になるように配置されるレンズ層をさらに備える。前記レンズ層は、前記基板への正投影が前記複数の感光部のそれぞれの前記基板への正投影を実質的に覆っているように配置される。
【００３７】
図１から図５は、本発明のいくつかの異なる実施形態による表示パネルを示す。図示するように、表示パネルは、基板１と、基板１の上方に配置された複数の画素サブユニットとを含んでおり、各画素サブユニットは、発光部を含む。ここで、発光部は、ＯＬＥＤ発光部となり得る。
【００３８】
表示パネルは、複数の感光部２１が含まれる感光層をさらに含む。各感光部２１は、基板１の上方に配置されるとともに、表示パネルの発光面に対向する被写体から光学信号を検出して電気信号に変換するように構成される少なくとも一つのフォトダイオードを含む。
【００３９】
表示パネルは、感光層２２の上方にあるレンズ層をさらに含む。レンズ層は、発光部の第１電極層の上方に配置され、複数の感光部２１に対応する複数のレンズ部２２を含む。ここで、感光層における複数の感光部２１に対応するレンズ層における複数のレンズ部２２は、各レンズ部２２の基板への正投影が各感光部２１の基板への正投影を実質的に覆っているように定義される。各感光部２１およびその対応するレンズ部２２は、感光アセンブリ２を実質的に形成する。
【００４０】
ここで、各画素サブユニットにおいて、発光部は、典型的には、第１電極層３と、第２電極層５と、第１電極層３および第２電極層５の間に配置される発光層と、を含む。発光層は、ＯＬＥＤ発光層となり得る。第１電極層３は、基板１により違いに配置される一方、第２電極層５は、基板１からより遠いに配置される。
【００４１】
具体的には、発光部における発光層は、単一の層を含み、例えば、第１電極層３と第２電極層５との間に配置される単一の発光層を含む。
【００４２】
あるいは、発光部における発光層は、２つ以上の層を含み、例えば、正孔輸送層、発光層、および電子輸送層を含む。
【００４３】
さらに具体的には、第１電極層３は、アノード層として構成されてもよく、カソード層として構成されてもよい。第１電極層３がアノード層である場合、第２電極層５は相応にカソード層であり、第１電極層３がカソード層である場合、第２電極層５は相応にアノード層である。
【００４４】
なお、図１から図５に示される表示パネルの５つの実施形態において、第１電極層３はアノード層であり、第２電極層５はカソード層である。これら５つの実施形態は、本質的に例証的なものとしてのみ提供され、したがって、本発明の範囲を限定するものではない。
【００４５】
ここで、第１電極層３は、透明導電ガラスを実質的に構成するインジウム錫酸化物（ＩＴＯ）の組成物を有することができる。また、第１電極層３は、ＩＴＯ以外の組成物を有していてもよい。ここに制限はありません。
【００４６】
発光部における発光層は、表示パネルの頂部に光を放出するように（言い換えれば、トップエミッション型表示パネルとして構成される）、また、表示パネルの底部に光を放出するように（言い換えれば、ボトムエミッション型表示パネルとして構成される）構成可能である。本発明の実施形態では、表示パネルがトップエミッション型表示パネルとして構成されるもの（言い換えれば、発光部における発光層は、表示パネルの頂部に光を放出するように構成される）について説明する。
【００４７】
ここで開示される表示パネルは、マイクロキャビティ光学構造または非マイクロキャビティ光学構造を介して表示パネルの頂部への発光を実現するように構成することができる。
【００４８】
図１から図５に示すように、各感光部２１は、基板１の上方に配置され、具体的には、基板１の上面（言い換えれば、基板１の発光部に対向する面）上に配置される。各レンズ部２２は、発光部の第１電極層３の上方に配置され、具体的には、第１電極層３の上面（言い換えれば、第１電極層３の発光層に対向する面）上に配置される。
【００４９】
表示パネルに十分な照明が得られることを保証するために、各感光部２１におけるフォトダイオードの総数に制限はない。具体的には、１つまたは複数の光電ダイオードを各感光部２１に配置することができ、その中に配置されたフォトダイオード２１の総数は、当業者の実用的なニーズに基づいて決定することができる。
【００５０】
具体的には、各感光部２１およびその対応するレンズ部２２は、各感光部２１における１つまたは複数のフォトダイオードの基板１への正投影が、対応するレンズ部２２の基板１への正投影内に含まれるように構成することができる。このような構成により、各レンズ部２２から出射する光の最大量は、対応する各感光部２１に到達することが保証される。
【００５１】
なお、光学信号が、対応するレンズ部２２を通過された後で各感光部２１に当てられ、かつ光学信号の正確な伝送が、伝送中に実質的に影響を受けない限り、各感光部２１およびその対応するレンズ部２２の相対的位置関係に制限はない。
【００５２】
ここで開示される表示パネルでは、表示パネルがカメラモード（言い換えれば、撮影モード）の下で画像を取り組むときには、発光部は発光せず、表示パネルに対向する被写体からの光学信号は、実質的に被写体からの拡散反射光学信号であって、封止基板９、画素定義層における画素定義部８、レンズ部２２、第１電極層３を順次に通過して、レンズ部２２により集光された後、対応する感光部２１に当てることができる。
【００５３】
感光部２１が１つまたは複数のフォトダイオードを含む場合、感光部２１は、次に光学信号を電気信号に変換して表示パネルに出力することで、被写体からの光学信号の収集を完了して最終的に被写体の画像を取り込む。
【００５４】
さらに、表示パネルが表示モードにあると、感光部２１はすべて非動作状態にあり、複数の画素サブユニットの各々における発光部は、発光する。
【００５５】
レンズ部２２が第１電極層３の上面に配置されるため、レンズ部２２により発光部からの発光を屈折または回折させることができ、ひいては発光部の光取り出し率を向上させることができ、表示パネルを比較的正常に表示させることができる。
【００５６】
上記表示パネルでは、感光部２１とその対応するレンズ部２２を１つの画素サブユニットに実質的に一体化することができる。
【００５７】
このように構成することで、表示パネルの内部空間の利用率を向上させることができる上で、従来の技術では独立した部品である前向きカメラは、表示装置において別途設置する必要がなく、その中にいくらかのスペースを占有する。
【００５８】
具体的には、上記表示パネルは、前向きカメラを有する表示装置に比べて表示装置全体の厚さを減らすことができることで、より薄くて軽量な表示装置への開発に役立つ。
【００５９】
さらに、上記表示パネルは、表示機能に加えて、画像取り込み機能（言い換えれば、撮影機能）を図るカメラとして用いられることで、表示パネルの価値を増やす。
【００６０】
また、レンズ部２２が第１電極層３の上面に配置されるため、レンズ部２２によりレンズ部２２からの発光を屈折または回折させることができ、ひいては発光部からの発光の損失を減少させ、発光部の光取り出し率の上昇または表示パネルの表示機能の最適化をもたらす。
【００６１】
レンズ部２２の組成物について様々な選択肢（または異なる実施形態）があり得る。例えば、レンズ部２２は、樹脂またはガラスの組成物を有してもよいが、これらに限定されない。
【００６２】
また、レンズ部２２の構成にかかわらず、レンズ部２２の構造（形状、数量、分布など）について様々な選択肢（または異なる実施形態）があり得る。感光部２１が高い光取り出し率を有することが好ましく、かつ光取り出し率がレンズ部２２の外表面積に関係するため、レンズ部２２は外表面積が大きくなるように構成される。
【００６３】
図２および図３は、表示パネルの２つの実施形態を示す。２つの図のそれぞれに示すように、レンズ部分２２は、クラスタ化された（図２に示すように）、また互いに分離された（図３に示すように）複数の突起を含む。さらに、レンズ部２２の複数の突起は、それぞれ第１電極層３の基板１から比較的遠い面（言い換えれば、第１電極層１の上面、すなわちその底面よりも基板１に比較的近い面）に配置される。
【００６４】
図２または図３のいずれかに示される表示パネルでは、発光部における第１電極層１の上面において、複数の突起がともにレンズ部２２を実質的に構成するので、レンズ部２２の有効感光面積が向上し、ひいては表示パネルが画像をより良好に取り込むことを可能にする。
【００６５】
なお、レンズ部２２の形状、寸法、屈折率などのパラメータは、実用的なニーズに応じて当業者により調整されることで、感光部２１には高品質の光学信号が得られる。
【００６６】
具体的には、レンズ部２２における複数の突起の各々の基板１に対向する面は、凸状、角柱状、または他の普通のレンズ形状をとることができる。複数の突起の形状に応じて、レンズ部２２における複数の突起の各々に関する１つまたは複数のパラメータは、レンズ部２２の集光効果を最大限確保するように調整されることで、発光部において感光部２１に入り込む光学信号の光束が増えており、ひいては発光部の光取り出し率の向上が図られる。
【００６７】
例えば、１つの突起が凸面をとる場合、凸面外面の凸面の半径を調整することで、１つの突起に対して最大の集束効果を確保することができる一方、１つの突起が角柱外面をとる場合、角柱外面の頂角を調整することで、１つの突出に対して最大の集束効果を確保することができる。
【００６８】
図１は、表示パネルの一実施形態を示しており、図示のように、該表示パネルは、第１電極層３と第２電極層５との間に配置された画素定義層における複数の画素定義部８を含む。複数の画素定義部８は、各画素サブユニットを定義するように配置される。
【００６９】
各画素サブユニットは、表示領域と非表示領域とを含む。図１に示すように、任意の画素サブユニットに隣接する１つの画素定義部８は、非表示領域にある一方、２つの隣接する画素定義部８の間にある発光部は、表示領域にある。複数の画素定義部８の各々は、透明樹脂の組成物を含んでおり、発光層は、有機ＥＬ材料からの超薄層の組成物を含む。
【００７０】
各画素サブユニットにおいて、第１電極層３は、第１部分および第２部分を含む。第１電極層３の第１部分は、各画素サブユニットの表示領域にあり、第１電極層３の第２部分は、各画素サブユニットの非表示領域にある。
【００７１】
図１に示すように、各感光部２１は、基板１の上面の上方に配置され、具体的には、第１電極層３の第２部分に対応する位置に配置される。言い換えれば、各感光部２１は、基板１への正投影が第１電極層３の第２部分の基板１への正射投影内に含まれるように、基板１の上面に位置する。
【００７２】
レンズ部２２は、図１に示すように、第１電極層３の第２部分の上面に配置されてもよく、図２から図６に示すように、第１電極層３の上面全体（言い換えれば、第１電極層３の第１部分と第２部分との両方の上面）に配置されてもよい。
【００７３】
なお、レンズ部２２を第１電極層３の第２部分の上面に配置する（言い換えれば、各画素サブユニットの非表示領域にレンズ部２２を配置する）ことで、レンズ部２２は対応する感光部２１と共に感光アセンブリ２を形成することができ、それにより、被写体からの光学信号の有効な取り込みを可能にする。
【００７４】
さらに、レンズ部２２を第１電極層３の第１部分の上面に配置する（言い換えれば、各画素サブユニットの表示領域にレンズ部２２を配置する）ことで、表示パネルが表示モードにあるときには、発光層からの発光はレンズ部２２を通過して出射可能であり、発光層からの光の損失を低減することができ、発光部の光取り出し率を高めることができる。
【００７５】
上記表示パネルがカラー画像を取り込みかつその撮影効果を向上させるためには、図１に示すように、感光部２１と第１電極層３との間に第１カラーフィルム７が配置される。ここで、カラーフィルム７は、着色された透明な絶縁層を含む。
【００７６】
具体的には、第１カラーフィルムは、それぞれの基板への正投影が１つの感光部の基板への正投影を実質的に覆うように配置される複数の第１カラーフィルタ部を含む。複数の第１カラーフィルタ部は、赤色の第１カラーフィルタ部と、緑色の第１カラーフィルタ部と、青色の第１カラーフィルタ部とを含む。
【００７７】
具体的には、表示パネルにおいてＲＧＢ（赤、緑、青）の作用機構を採用してカラー表示を実現するためには、１つの画素ユニットにおける３つの第１カラーフィルムは、それぞれ画素ユニットにおける赤色の画素サブユニット（言い換えれば、Ｒ画素サブユニット）、緑色の画素サブユニット（言い換えれば、Ｇ画素サブユニット）、または青色の画素サブユニット（言い換えれば、Ｂ画素サブユニット）に対応する、１つの赤色の第１カラーフィルタ部７１、１つの緑色の第１カラーフィルタ部７２、または１つの青色の第１カラーフィルタ部７３を含む。
【００７８】
赤色の第１カラーフィルタ部７１、緑色の第１カラーフィルタ部７２および青色の第１カラーフィルタ部７３はそれぞれ、各画素サブユニットにおける感光部２１を覆うように配置される。このように、光学信号が、それぞれ対応する感光部２１に当てられるように、赤色の第１カラーフィルタ部７１、緑色の第１カラーフィルタ部７２および青色の第１カラーフィルタ部７３をそれぞれ通過すると、感光部２１は、その後に混合して被写体のカラー画像を再確立できる三原色のぞれぞれの光学信号を検出することができ、表示パネルのカメラ機能（または撮影機能）が図られる。
【００７９】
上記表示パネルにおいて、各画素のサブユニットは、表示パネルの表示機能を実現するために発光するように構成される発光部を含む。表示パネルについて着色光の発光を実現するために、２つのアプローチ（言い換えれば、２つの実施形態）がある。
【００８０】
図１に示すような第１アプローチでは、各画素サブユニットにおける各発光部は、着色されたＯＬＥＤ発光層４を含む。各画素ユニットにおけるＲ画素サブユニット、Ｇ画素サブユニットおよびＢ画素サブユニットのそれぞれでは、着色されたＯＬＥＤ発光層４は相応に、赤色のＯＬＥＤ発光層４１、緑色のＯＬＥＤ発光層４２、および青色のＯＬＥＤ発光層４３とすることができ、これにより、それからの赤色光、緑色光および青色光の混合を確保して、表示パネルについてカラー画像の表示を実現することができる。
【００８１】
図４に示すような第２アプローチでは、各画素サブユニットの各発光部は、白色の発光層１０を含んでおり、各画素サブユニットの表示領域では、第２電極層５の上面（言い換えれば、ＯＬＥＤ発光層１０からより遠い面）に第２カラーフィルム１１がさらに配置される。
【００８２】
第２カラーフィルム１１は、複数の第２カラーフィルタ部を含む。複数の第２カラーフィルタ部は、各画素ユニットにおけるＲ画素サブユニット、Ｇ画素サブユニット、およびＢ画素サブユニットにそれぞれ対応する、赤色の第２カラーフィルタ部１１１、緑色の第２カラーフィルタ部１１２、および青色の第２カラーフィルタ部１１３を含む。
【００８３】
このような構成とすることにより、白色発光層１０からの白色光は、赤色の第２カラーフィルム１１１、緑色の第２カラーフィルタ部１１２、および青色の第２カラーフィルタ部１１３のそれぞれによってフィルターされ、それによって混合可能な赤色光、緑色光、青色光が得られ、表示パネルによるカラー画像の表示が図られる。
【００８４】
各画素サブユニットにおける各発光部は、白色発光層１０を含んでおり、各画素サブユニットにおける白色発光層１０は、図５に示すように、一体化した白色発光層１０として製造される。各第２電極層５および各第２カラーフィルム１１は、白色発光層１０の上方の各画素サブユニットの表示領域で製造される。
【００８５】
なお、上記２つのアプローチに加えて、表示パネルによるカラー画像の表示を実現できる他のアプローチもあり、上記２つのアプローチは本発明範囲を限定するものではない。
【００８６】
図６に示すように、さらに別の実施形態による表示パネルは示される、図示されるように、各画素サブユニットにおける各発光部は、白色発光層１０を含んでおり、図１から図５のいずれかに示すような実施形態とは異なり、感光部２１と第１電極層３との間には第１カラーフィルム７がなく、その代わりに、感光部２１を覆うように、感光部２１と第１電極層３との間には平坦化層１２が配置される。
【００８７】
被写体へのカラー画像の取り込みと表示パネルによるカラー画像の表示との両方を図るには、各画素サブユニットにおいて、第２電極層５の上面（言い換えれば、白色発光層１０からより遠い面）には、第３カラーフィルム１３が配置される。
【００８８】
第３カラーフィルム１３は、複数の第３カラーフィルタ部を含む。複数の第３カラーフィルタ部は、表示パネルにおける各画素ユニットの赤色の画素サブユニット、緑色の画素サブユニットおよび青色画素サブユニットにそれぞれ対応する、赤色の第３カラーフィルタ部１３１、緑色の第３カラーフィルタ部１３２および青色の第３カラーフィルタ部１３３を含む。
【００８９】
さらに、各画素ユニットにおいて、各第３カラーフィルタ部の基板１への正投影は、対応する白色発光層１０および対応する感光部２１の正投影を覆うように構成される。
【００９０】
一方、このような構成では、白色発光層１０からの白色光は、赤色の第３カラーフィルム１３１、緑色の第３カラーフィルタ部１３２、および青色の第３カラーフィルタ部１３３のそれぞれによってフィルターされ、それによって混合可能な赤色光、緑色光、青色光が得られ、表示パネルによるカラー画像の表示が図られる。
【００９１】
一方、このような構成では、光学信号が、それぞれ対応する感光部２１に当てられるように、赤色の第３カラーフィルタ部１３１、緑色の第３カラーフィルタ部１３２および青色の第３カラーフィルタ部１３３をそれぞれ通過すると、感光部２１は、その後に混合して被写体のカラー画像を再確立できる三原色のぞれぞれの光学信号を検出することができ、表示パネルのカメラ機能（または撮影機能）が図られる。
【００９２】
なお、図６に示すように、第３カラーフィルム１３を第２電極層５の上面に配置する形態に加えて、第３カラーフィルム１３を封止基板９の一面、例えば基板１に対向する面に配置することもできる。
【００９３】
表示パネルでは、各画素サブユニットは、図１に示すように、基板１と第１カラーフィルム７との間に配置される薄膜トランジスタ（ＴＦＴ）６をさらに含む。
【００９４】
第１カラーフィルム７にはビアが設けられており、第１電極層３は、ビアを介して薄膜トランジスタ６の信号出力端子６２に電気的に結合または接続されるように構成される。このように、薄膜トランジスタ６は、制御信号が受信されると、各画素サブユニットにおける発光部が発光するか否かを制御して表示パネルの表示制御を実現することができる。
【００９５】
さらに、薄膜トランジスタ６の信号出力端子６２は、図１に示すように、薄膜トランジスタ６のＴＦＴソース電極またはＴＦＴドレイン電極となり得る。薄膜トランジスタ６の活性層６１は、基板１の上面（言い換えれば、基板１の第１電極層３に対向する面）に配置される。
【００９６】
なお、上述した表示パネルの実施形態では、感光部２１と第１電極層３との間には第１カラーフィルム７が配置されており、第１カラーフィルム７も、薄膜トランジスタ６を覆うように構成される。
【００９７】
表示パネルの信頼性を向上させるために、第１カラーフィルム６は、着色された透明絶縁層とすることができ、着色性、透明性、また絶縁性のある組成物とすることができる。このように、感光部２１と薄膜トランジスタ６と第１電極層３との絶縁性を確保することを可能にすることで、表示パネルの信頼性に悪影響を与えることがある、感光部２１、薄膜トランジスタ６および第１電極層３の間の漏電や干渉が避けられる。
【００９８】
なお、第３カラーフィルム１３が含まれる、図６に示すような表示パネルの実施形態では、感光部２１と第１電極層３との間に平坦化層１２が配置されており、平坦化層１２はさらに、各感光部２１を覆うように構成されており、薄膜トランジスタ（ＴＦＴ）は、図６に示すように、基板１と平坦化層１２との間に配置される。
【００９９】
平坦化層１２にはビアが設けられており、第１電極層３は、ビアを介して薄膜トランジスタ６の信号出力端子６２に電気的に結合または接続されるように構成される。このように、薄膜トランジスタ６は、制御信号が受信されると、各画素サブユニットにおける発光部が発光するか否かを制御して表示パネルの表示制御を実現することができる。
【０１００】
上述した表示パネルの実施形態では、薄膜トランジスタ６の信号出力端子６２は、薄膜トランジスタ６のＴＦＴソース電極またはＴＦＴドレイン電極となり得る。薄膜トランジスタ６の活性層６１は、基板１の上面（言い換えれば、基板１の第１電極層３に対向する面）に配置される。
【０１０１】
平坦化層１２はさらに、絶縁性を有するように構成されることで、感光部２１と薄膜トランジスタ６と第１電極層３との絶縁性を確保する。
【０１０２】
信号線の数を低減する、または表示パネルの構造を簡素化するために、本発明のいくつか実施形態によれば、同じ画素サブユニットにおける感光部２１と薄膜トランジスタ６は、共通信号線（言い換えれば、同じ信号線に電気的に結合される）を共有するように構成される。
【０１０３】
これにより、共有された共通信号線は、表示パネルのタイミング制御部により、異なる時間間隔で異なる信号を伝送するのに用いられることで、共通信号線による感光部２１および薄膜トランジスタ６への信号の伝送が図られる。
【０１０４】
上述した表示パネルの実施形態のいずれにおいても、感光部２１は、各画素サブユニットに配置されてもよく、画素サブユニットの全てではなく一部に配置されてもよい。
【０１０５】
図７および図８は、表示パネルの画素サブユニットに対する感光部２１の配置が異なる、表示パネルの２つの異なる実施形態を示す。
【０１０６】
図７と図８との両方では、３×６マトリクス状に配列されている、基板１の上方にある計１８個の画素サブユニットが示される。図示されるように、１つの行における３つの画素サブユニット毎には、共に画素ユニット（表示画素ユニット１４と呼ばれる）を形成する、赤色の画素サブユニット１４１、緑色の画素サブユニット１４２、および青色の画素サブユニット１４３が含まれる。したがって、１８個の画素サブユニットは、合計６個の表示画素ユニットを含む。
【０１０７】
図７に示される表示パネルの一実施形態では、各表示画素ユニット１４における３つの画素サブユニットのそれぞれは、相応に感光部２１を含む。したがって、各表示画素ユニット１４は、撮影画素ユニット１５を形成することもできる。
【０１０８】
すなわち、各表示画素ユニット１４において、赤色の画素サブユニット１４１における感光部２１、緑色の画素サブユニット１４２における感光部２１、および青色の画素サブユニット１４３における感光部２１はそれぞれ、共に撮影画素ユニット１５を構成する、赤色の撮影画素サブユニット１５１、緑色の撮影画素サブユニット１５２および青色の撮影画素サブユニット１５３となり得る。このように、表示パネルによる画像取込可能な撮影機能（またはカメラ機能）が図られる。
【０１０９】
図８に示される表示パネルの別の実施形態では、各表示画素ユニット１４における３つの画素サブユニットのうちの１つのみは、対応する感光部２１を含んでおり、列方向に沿う３つの隣接する表示画素ユニット１４毎は、感光部２１を有する３つの画素サブユニットが１つの異なるカラーに対応するとともに、共に撮影画素ユニット１５を形成するように構成される。このように、表示パネルによる画像取込可能な撮影機能（またはカメラ機能）が図られる。
【０１１０】
すなわち、１行目の赤色に対応する感光部２１を有する画素サブユニット、２行目の緑色に対応する感光部２１を有する画素サブユニット、および３行目の青色に対応する感光部２１を有する画素サブユニットは、撮影画素ユニット１５を構成しており、これらの３つの画素サブユニットは、それぞれ赤色の撮影画素サブユニット１５１、緑色の撮影画素サブユニット１５２、青色の撮影画素サブユニット１５３である。
【０１１１】
図７に示される表示パネルの実施形態と比べると、該表示パネルの実施形態は、感光部２１の数が少なくなり、ひいては製造コストが低減され、表示パネルにおける感光部２１を占める内部空間が減少される。
【０１１２】
なお、表示パネルにおける撮影画素ユニット１５の配置や分布は、上述した図７および図８に示される実施形態に限定されるものではない。各撮影画素ユニットにおける種々の画素サブユニットは、被写体のカラー画像を再構築するように異なる色の光学信号の混合を可能にする限り、撮影画素ユニット１５の他の配置または分布も可能である。
【０１１３】
本発明に係る第２態様は、上述した表示パネルを製造する方法をさらに提供する。
【０１１４】
図１から図９を参照すると、該製造方法は、以下のステップを含む。
【０１１５】
基板１を準備する。
【０１１６】
基板１の上方に、複数の感光部２１を含む光感光層を形成する。
【０１１７】
感光部２１の基板１に対向する面の上方に、複数の発光部と、第１カラーフィルムと、複数のレンズ部２２が含まれるレンズ層とを形成しており、各発光部は１つの画素サブユニットに対応しており、各感光部の基板への正投影は、第１カラーフィルムの基板への正投影に覆われる一方、いずれかの発光部の基板への正投影と重なっていないようになり、各レンズ部の基板への正投影は、各感光部の基板への正投影を実質的に覆っている。
【０１１８】
ここで、各発光部は、典型的には、上記した第１電極層３と、第２電極層５と、これらの間に挟まれた発光層とを含む。第１電極層３は、基板１により近いに配置される一方、第２電極層５は、基板１からより遠いに配置される。発光層は、ＯＬＥＤ発光層となり得る。
【０１１９】
図１０を参照すると、製造方法における、感光部２１の基板１に対向する面の上方に、複数の発光部と、第１カラーフィルムと、複数のレンズ部２２が含まれるレンズ層を形成するステップは、以下のサブステップを含む。
【０１２０】
感光層の各感光部の基板１に対向する面の上方に、第１電極層３を形成する。
【０１２１】
第１電極層３の基板１に対向する面の上方に、各レンズ部２２を形成する。
【０１２２】
各レンズ部２２の基板１に対向する面の上方に、発光層を形成する。
【０１２３】
発光層の基板１に対向する面の上方に、第２電極層５を形成する。
【０１２４】
ここで、表示パネルにおける第１電極層３は、第１部分と第２部分に分けられてもよい。第１電極層３の第１部分および第２部分は、画素サブユニットの表示領域および非表示領域にそれぞれ対応するように構成される（言い換えれば、第１電極層３の第１部分の基板１への正投影が画素サブユニットの表示領域の基板１への正投影と重なり、第１電極層３の第２部分の基板１への正投影が画素サブユニットの非表示領域の基板１への正投影と重なる）。
【０１２５】
このように、該方法のいくつかの実施形態によれば、第１電極層３の基板１に対向する面の上方にレンズ部２２を形成するサブステップは、下記のことを含む。
【０１２６】
第１電極層３の第２部分の基板１に対向する面の上方に、レンズ部２２を形成しており、第１電極層３の第２部分は、対応する感光部２１を覆うように構成される（言い換えれば、第１電極層３の第２部分の基板１への正投影は、対応する感光部２１の基板１への正投影を完全に覆う）。
【０１２７】
あるいは、該方法の他の実施形態によれば、第１電極層３の基板１に対向する面の上方にレンズ部２２を形成するサブステップは、下記のことを含む。
【０１２８】
第１電極層３の第１部分および第２部分の基板１に対向する面の上方に、レンズ部２２を形成しており、第１電極層３の第２部分は、対応する感光部２１を覆うように構成される（言い換えれば、第１電極層３の第２部分の基板１への正投影は、対応する感光部２１の基板１への正投影を完全に覆う）。
【０１２９】
レンズ部２２を第１電極層３の第２部分の基板１に対向する面の上方に配置する（言い換えれば、画素サブユニットの非表示領域においてレンズ部２２を実質的に構成する）ことで、レンズ部２２および対応する感光部２１は共に、被写体からの光学信号を効果的に取り込むことができる感光アセンブリ２を形成できる。
【０１３０】
レンズ部２２は、第１電極層３の第１部分の基板１に対向する面の上方に配置する（言い換えれば、画素サブユニットの表示領域においてレンズ部２２を実質的に構成する）ことで、レンズ部２２により、表示パネルが表示モードにあるときの発光層からの発光の損失が低減され、ひいては発光部の光取り出し率の増加をもたらす。
【０１３１】
該方法のいくつかの実施形態によれば、感光部２１の基板１に対向する面の上方に第１電極層３を形成するサブステップは、下記のことを含む。
【０１３２】
感光部２１の基板１に対向する面の上方に、第１カラーフィルム７を形成する。
【０１３３】
第１カラーフィルム７の基板１に対向する面の上方に、第１電極層３を形成する。
【０１３４】
図１１に示すように、各画素サブユニットが薄膜トランジスタ６を含む表示パネルの実施形態では、感光部２１の基板１に対向する面の上方に第１カラーフィルム７を形成する前に、該方法は下記のことをさらに含む。
【０１３５】
基板１の上方に、薄膜トランジスタ６を形成する。
【０１３６】
したがって、感光部２１の基板１に対向する面の上方に第１カラーフィルム７を形成する際には、第１カラーフィルム７は、薄膜トランジスタ６を覆うように構成される。
【０１３７】
また、第１カラーフィルム７の基板１に対向する面の上方に第１電極層３を形成することは、下記のことをさらに含む。
【０１３８】
第１カラーフィルム７における、薄膜トランジスタ６の信号出力端子６２に対応する位置で、ビアを形成する。
【０１３９】
第１カラーフィルム７の基板１に対向する面の上方に、薄膜トランジスタ６の信号出力端子６２に電気的に接続される第１電極層３を形成する。
【０１４０】
発光層が有色発光の有機ＥＬ材料の組成物を有する場合、表示パネルをカラー表示とするためには、表示パネルを製造する際に、同一の画素サブユニットにおいて、有機ＥＬ材料は、第１カラーフィルム７と実質的に同じ色を有する。
【０１４１】
発光層が白色発光の有機ＥＬ材料の組成物を有する場合、表示パネルをカラー表示とするためには、表示パネルを製造する方法は、下記のことをさらに含む。
【０１４２】
第２電極層５のうち基板１に対向する部分の面の上方に、第２カラーフィルム１１を形成しており、第２電極層５の該部分は、各画素ユニットの表示領域に対応しており（言い換えれば、第２電極層５の該部分の基板１への正投影は、各画素サブユニットの表示領域の基板１への正射影内に収まる）、同じ画素サブユニットでは、第２カラーフィルム１１が第１カラーフィルムと実質的に同じ色を有する。
【０１４３】
発光層が白色発光の有機ＥＬ材料の組成物を有する表示パネルの実施形態では、感光部２１の基板１に対向する面の上方に第１電極層３を形成するサブステップは、図１２に示すようなことを含んでもよい。
【０１４４】
感光部２１の基板１に対向する面の上方に、平坦化層１２を形成する。
【０１４５】
平坦化層１２の基板１に対向する面の上方に、第１電極層３を形成する。
【０１４６】
したがって、表示パネルの製造方法は、下記のことをさらに含む。
【０１４７】
第２電極層５の基板１に対向する面の上方に、第３カラーフィルム１３を形成しており、第３カラーフィルム１３の基板１への正投影は、白色発光層および感光部２１の基板１への正投影を覆っている。
【０１４８】
また、表示パネルを製造する方法は、下記のことを含んでもよい。
【０１４９】
封止基板９の一面の上方に、第３カラーフィルム１３を形成する。
【０１５０】
封止基板９の第３カラーフィルム１３が位置する面が基板１に対向するように、第３カラーフィルム１３を有する封止基板９を位置合わせする。
【０１５１】
ガラス粉末による包装を仕上げる。
【０１５２】
本発明に係る第３態様は、表示装置をさらに提供する。該表示装置は、上述したいずれかの実施形態による表示パネルを備える。
【０１５３】
表示装置は、画像取込制御回路をさらに備えており、該画像取込制御回路は、表示パネルにおける１つまたは複数の感光部（例えば、フォトダイオード）に結合される。ここで、画像取込制御回路は、各感光部のうち１つの感光部を制御するとともに、感光部で検出された被写体からの光学信号を取り込むように構成されることで、表示パネルによる撮影機能を図る。
【０１５４】
具体的には、画像取込制御回路は、感光部に結合された、画像取り込みを駆動するためのサブ回路を含む。表示パネルの構造を簡素化するために、画像取込制御回路は、同じ駆動用チップ、または同じプリント回路基板（ＰＣＢ）において、他のタイプの駆動回路と一体化することができる。
【０１５５】
ここで、表示装置は、表示とカメラとの両機能を有するように、携帯電話、タブレットコンピュータ、ラップトップコンピュータ、モニタ、テレビ、デジタルカメラ、またはＧＰＳ装置で使用される製品または部品となり得る。
【０１５６】
以上、特定の実施形態を詳細に説明してきたが、その説明は単なる例示のためのものである。したがって、上述した多くの態様は、特に断りのない限り、必須または必須の要素として意図されていないことを理解されたい。
【０１５７】
上述した例示的な実施形態の開示された態様に加えて、当業者によるそれらの態様の様々な変更または同等である態様は、添付の特許請求の範囲に定義された開示の精神および範囲に含まれ、その範囲は、そのような変更および同等の構造を包含するように最も広い解釈が与えられるべきである。
【符号の説明】
【０１５８】
１  基板
２  感光アセンブリ
３  第１電極層
４  ＯＬＥＤ発光層
５  第２電極層
６  薄膜トランジスタ
７  第１カラーフィルム
８  画素定義部
９  封止基板
１０  白色発光層
１１  第２カラーフィルム
１３  第３カラーフィルム
１４  表示画素ユニット
１５  撮影画素ユニット
２１  感光部
２２  感光層
４１  赤色のＯＬＥＤ発光層
４２  緑色のＯＬＥＤ発光層
４３  青色のＯＬＥＤ発光層
６１  活性層
６２  信号出力端子
７１  赤色の第１カラーフィルタ部
７２  緑色の第１カラーフィルタ部
７３  青色の第１カラーフィルタ部７３
１１１  赤色の第２カラーフィルタ部
１１２  緑色の第２カラーフィルタ部
１１３  青色の第２カラーフィルタ部
１３１  赤色の第３カラーフィルタ部
１３２  緑色の第３カラーフィルタ部
１３３  青色の第３カラーフィルタ部
１４１  赤色の画素サブユニット
１４２  緑色の画素サブユニット
１４３  青色の画素サブユニット
１５１  赤色の撮影画素サブユニット
１５２  緑色の撮影画素サブユニット
１５３  青色の撮影画素サブユニット
【図１】
2020516006.tif 000003
【図２】
2020516006.tif 000004
【図３】
2020516006.tif 000005
【図４】
2020516006.tif 000006
【図５】
2020516006.tif 000007
【図６】
2020516006.tif 000008
【図７】
2020516006.tif 000009
【図８】
2020516006.tif 000010
【図９】
2020516006.tif 000011
【図１０】
2020516006.tif 000012
【図１１】
2020516006.tif 000013
【図１２】
2020516006.tif 000014
【国際調査報告】
2020516006.tif 000015
2020516006.tif 000016